(57)【要約】【課題】セキュリティ性能を向上できる電気錠制御システム、電気錠システム、電気錠制御システムの制御方法、及びプログラムを提供する。【解決手段】電気錠制御システム１は、鍵装置２と無線通信する錠側通信部１３と、錠側通信部１３が鍵装置２から受信した情報に基づいて電気錠３を制御する錠側制御部１１と、を備える。電気錠は、建物の開口部を開閉する開閉部材を施錠又は解錠する。錠側制御部１１は、錠側通信部１３と鍵装置２との間の通信状態に基づいて所定の通信範囲において鍵装置２の存在を検知した状態で判定条件を満たした場合は、電気錠３を施錠又は解錠する第１処理を行う。錠側制御部１１は、通信範囲に鍵装置２が存在する状態で判定条件が成立しない状態が所定の待機時間以上継続した場合は、第１処理とは異なる所定の第２処理を行う。【選択図】図１
2019044462.tif 000002
【特許請求の範囲】
【請求項１】
鍵装置と無線通信する錠側通信部と、
前記錠側通信部が前記鍵装置から受信した情報に基づいて、建物の開口部を開閉する開閉部材を施錠又は解錠する電気錠を制御する錠側制御部と、を備え、
前記錠側制御部は、前記錠側通信部と前記鍵装置との間の通信状態に基づいて所定の通信範囲において前記鍵装置の存在を検知した状態で判定条件を満たした場合は、前記電気錠を施錠又は解錠する第１処理を行い、
前記錠側制御部は、前記通信範囲に前記鍵装置が存在する状態で前記判定条件が成立しない状態が所定の待機時間以上継続した場合は、前記第１処理とは異なる所定の第２処理を行う
電気錠制御システム。
【請求項２】
前記判定条件は、前記錠側通信部が前記鍵装置からの受信信号強度と前記鍵装置が前記錠側通信部からの受信信号強度との少なくとも一方が所定のしきい値以上であることを含む
請求項１に記載の電気錠制御システム。
【請求項３】
前記第２処理は、前記判定条件を変更する変更処理を含む
請求項１又は２に記載の電気錠制御システム。
【請求項４】
前記第２処理は、前記鍵装置が存在するか否かを検知するための検知条件を変更する処理を含む
請求項１〜３のいずれか１項に記載の電気錠制御システム。
【請求項５】
前記第２処理は、前記錠側通信部が前記通信範囲に存在する前記鍵装置と通信する時間間隔を変更する処理を含む
請求項１〜４のいずれか１項に記載の電気錠制御システム。
【請求項６】
前記錠側制御部は、所定の解除条件を満たした場合に、前記第２処理を行う前の状態に戻す
請求項１〜５のいずれか１項に記載の電気錠制御システム。
【請求項７】
前記解除条件は、前記電気錠の施錠又は解錠が完了することと、前記鍵装置と前記錠側通信部との通信状態が変化することとの少なくとも一方を含む
請求項６に記載の電気錠制御システム。
【請求項８】
前記錠側制御部は、前記錠側通信部が前記鍵装置から受信した設定情報をもとに前記判定条件を設定する
請求項１〜７のいずれか１項に記載の電気錠制御システム。
【請求項９】
前記鍵装置が複数あり、
前記錠側制御部は、前記複数の鍵装置のそれぞれについて前記判定条件を設定する
請求項８に記載の電気錠制御システム。
【請求項１０】
請求項１〜９のいずれか１項に記載の電気錠制御システムと、前記錠側制御部によって制御される電気錠とを含む
電気錠システム。
【請求項１１】
前記電気錠を解錠又は施錠するための鍵装置を更に備える
請求項１０に記載の電気錠システム。
【請求項１２】
鍵装置との間の通信状態に基づいて所定の通信範囲において前記鍵装置の存在を検知した状態で判定条件を満たした場合は、電気錠を施錠又は解錠する第１処理と、
前記通信範囲に前記鍵装置が存在する状態で前記判定条件が成立しない状態が所定の待機時間以上継続した場合に行う、前記第１処理とは異なる所定の第２処理と、を含む
電気錠制御システムの制御方法。
【請求項１３】
コンピュータシステムに、
鍵装置との間の通信状態に基づいて所定の通信範囲において前記鍵装置の存在を検知した状態で判定条件を満たした場合は、電気錠を施錠又は解錠する第１処理と、
前記通信範囲に前記鍵装置が存在する状態で前記判定条件が成立しない状態が所定の待機時間以上継続した場合に行う、前記第１処理とは異なる所定の第２処理と、を実行させるための
プログラム。
【発明の詳細な説明】
【技術分野】
【０００１】
本開示は、電気錠制御システム、電気錠システム、電気錠制御システムの制御方法、及びプログラムに関し、特に、建物に設けられた開閉部材を施錠又は解錠する電気錠を制御するための電気錠制御システム、電気錠システム、電気錠制御システムの制御方法、及びプログラムに関する。
【背景技術】
【０００２】
従来、建物のドアの施錠及び解錠を行う電気錠システムがあった（例えば特許文献１参照）。特許文献１の電気錠システムは、ドアに設けられた主錠及び補助錠の施錠及び解錠を制御するコントローラを含む。コントローラは、電子鍵をオン状態にする起動信号を定期的に送信する。電子鍵は、起動信号を受信するとオン状態になり、コントローラへＩＤ情報を送信する。コントローラは、電子鍵からＩＤ情報を受信すると、ＩＤ情報を認証し、認証可の場合には施錠されていた主錠及び補助錠を解錠する。
【先行技術文献】
【特許文献】
【０００３】
【特許文献１】特開２０１６−２０６０６号公報
【発明の概要】
【発明が解決しようとする課題】
【０００４】
特許文献１の電気錠システムでは、電子鍵を持ったユーザが、コントローラからの起動信号を電子鍵が受信可能な範囲に止まっていると、電子鍵からコントローラへＩＤ情報が送信され、認証可の場合には主錠及び補助錠が解錠される。そのため、ドアの近くにいる第三者がドアを開けて建物の内部に入る可能性があった。
【０００５】
本開示の目的は、セキュリティ性能を向上できる電気錠制御システム、電気錠システム、電気錠制御システムの制御方法、及びプログラムを提供することにある。
【課題を解決するための手段】
【０００６】
本開示の一態様の電気錠制御システムは、鍵装置と無線通信する錠側通信部と、前記錠側通信部が前記鍵装置から受信した情報に基づいて、建物の開口部を開閉する開閉部材を施錠又は解錠する電気錠を制御する錠側制御部と、を備える。前記錠側制御部は、前記錠側通信部と前記鍵装置との間の通信状態に基づいて所定の通信範囲において前記鍵装置の存在を検知した状態で判定条件を満たした場合は、前記電気錠を施錠又は解錠する第１処理を行う。前記錠側制御部は、前記通信範囲に前記鍵装置が存在する状態で前記判定条件が成立しない状態が所定の待機時間以上継続した場合は、前記第１処理とは異なる所定の第２処理を行う。
【０００７】
本開示の一態様の電気錠システムは、前記電気錠制御システムと、前記錠側制御部によって制御される電気錠とを含む。
【０００８】
本開示の一態様の電気錠制御システムの制御方法は、第１処理と、第２処理とを含む。前記第１処理は、鍵装置との間の通信状態に基づいて所定の通信範囲において前記鍵装置の存在を検知した状態で判定条件を満たした場合は、電気錠を施錠又は解錠する処理である。前記第２処理は、前記通信範囲に前記鍵装置が存在する状態で前記判定条件が成立しない状態が所定の待機時間以上継続した場合に行う、前記第１処理とは異なる所定の処理である。
【０００９】
本開示の一態様のプログラムは、コンピュータシステムに、第１処理と、第２処理とを実行させるためのプログラムである。前記第１処理は、鍵装置との間の通信状態に基づいて所定の通信範囲において前記鍵装置の存在を検知した状態で判定条件を満たした場合は、電気錠を施錠又は解錠する処理である。前記第２処理は、前記通信範囲に前記鍵装置が存在する状態で前記判定条件が成立しない状態が所定の待機時間以上継続した場合に行う、前記第１処理とは異なる所定の処理である。
【発明の効果】
【００１０】
本開示によれば、セキュリティ性能を向上できる。
【図面の簡単な説明】
【００１１】
【図１】図１は、本開示の一実施形態に係る電気錠制御システムを含む電気錠システムのブロック図である。
【図２】図２は、同上の電気錠システムの使用例の説明図である。
【図３】図３は、同上の電気錠システムの使用例の説明図である。
【図４】図４は、同上の電気錠制御システムの第１処理を説明するシーケンス図である。
【図５】図５は、同上の電気錠制御システムの第２処理を説明するシーケンス図である。
【図６】図６は、本開示の一実施形態の変形例４に係る電気錠制御システムの動作を説明するシーケンス図である。
【図７】図７は、同上の変形例４に係る電気錠制御システムの別の動作を説明するシーケンス図である。
【発明を実施するための形態】
【００１２】
（１）概要
以下、本実施形態に係る電気錠制御システムを含む電気錠システムの概要について説明する。本実施形態に係る電気錠システム１０は、図１に示すように、電気錠制御システム１と、鍵装置２とを、含む。また、電気錠システム１０は、電気錠制御システム１によって制御される電気錠３を、更に含む。
【００１３】
本実施形態に係る電気錠制御システム１は電気錠３を制御するためのシステムである。電気錠３は開閉部材５（図２及び図３参照）を施錠又は解錠する。開閉部材５は、建物４の開口部４０を開閉する。開閉部材５は、建物４の内側（宅内４１）と外側（宅外４２）とを隔てる扉又は窓であって、例えば、玄関、勝手口等の扉（開き戸又は引き戸）、又は掃き出し窓等である。本実施形態では、開閉部材５は、玄関扉である。電気錠制御システム１及び電気錠３は、開閉部材５に設置されている。電気錠制御システム１は、鍵装置２と通信可能に構成されている。電気錠制御システム１は、鍵装置２との通信によって、開閉部材５を施錠する施錠状態と、開閉部材５を解錠する解錠状態との切り替えを電気的に行うように構成されている。
【００１４】
鍵装置２は、電気錠制御システム１との通信機能を有している。本実施形態では、電気錠制御システム１と鍵装置２との間の通信方式は、電波を媒体とする無線通信である。鍵装置２は、例えば電池駆動式の携帯端末装置であり、本実施形態では電気錠制御システム１の電源も電池である。本実施形態では、建物４が戸建て住宅である場合を例として説明する。したがって、ユーザ６は、建物４の住人及びその関係者のうち、鍵装置２を所有する人である。ユーザ６が複数いる場合、複数のユーザ６がそれぞれ鍵装置２を所有してもよく、その場合、電気錠システム１０は複数の鍵装置２を含む。
【００１５】
電気錠３は、電気錠制御システム１の錠側制御部１１（後述する）から出力される施錠信号又は解錠信号によって、電動で開閉部材５を施錠又は解錠する。すなわち、電気錠３は、錠側制御部１１からの施錠信号又は解錠信号によって、開閉部材５を施錠する施錠状態、又は開閉部材５を解錠する解錠状態に切り替えられる。
【００１６】
本実施形態に係る電気錠制御システム１及び電気錠システム１０では、セキュリティ性能を向上できるように、以下のように構成されている。
【００１７】
本実施形態に係る電気錠制御システム１は、図１に示すように、錠側通信部１３と、錠側制御部１１と、を備えている。
【００１８】
錠側通信部１３は、鍵装置２と無線通信する。
【００１９】
錠側制御部１１は、錠側通信部１３が鍵装置２から受信した情報に基づいて、開閉部材５を施錠又は解錠する電気錠３を制御する。錠側制御部１１は、錠側通信部１３と鍵装置２との間の通信状態に基づいて所定の通信範囲Ａ１（図２及び図３参照）において鍵装置２が存在するか否かを検知する。所定の通信範囲Ａ１とは、例えば、錠側通信部１３が鍵装置２からの受信信号強度が所定の第１閾値以上となる範囲である。本実施形態では、「第１閾値」は、電気錠制御システム１の設置場所から数ｍ離れた位置にある鍵装置２からの受信信号強度に相当する値に設定されている。
【００２０】
錠側制御部１１は、通信範囲Ａ１において鍵装置２の存在を検知し、通信範囲Ａ１で鍵装置２の存在を検知した状態で判定条件を満たした場合は第１処理を行う。「第１処理」は、電気錠３を施錠又は解錠する処理である。錠側制御部１１は、通信範囲Ａ１に鍵装置２が存在する状態で判定条件が成立しない状態が所定の待機時間Ｔ１以上継続した場合は、第１処理とは異なる所定の第２処理を行う。
【００２１】
ここにおいて、「待機時間Ｔ１」は、例えば１分〜５分程度であり、通信範囲Ａ１の設定や使用環境等に応じて適宜変更が可能である。
【００２２】
「判定条件」は、電気錠３を施錠又は解錠するための条件である。判定条件は、例えば、鍵装置２からの受信信号強度が所定の第２閾値（しきい値）以上であるという条件を含み、本実施形態では、電気錠制御システム１の錠側操作部１５（後述する）が操作されるという条件を更に含む。ここにおいて、鍵装置２は、例えば、電気錠３の施錠又は解錠を許可されている鍵装置である。
【００２３】
「第２閾値」は第１閾値よりも大きい値に設定されている。宅外４２において開口部４０の近傍には、通信範囲Ａ１よりも狭い認証エリアＡ２が設定されている。認証エリアＡ２は、開閉部材５からの距離が約１ｍの範囲であり、錠側通信部１３が認証エリアＡ２に存在する鍵装置２から受信した信号の強度は第２閾値以上になるように、第２閾値の値が設定されている。したがって、上記の判定条件は、認証エリアＡ２に鍵装置２が存在するという条件を含み、本実施形態では、錠側操作部１５が操作されるという条件を更に含む。
【００２４】
「第２処理」は、電気錠３を施錠又は解錠する第１処理とは異なる処理である。第２処理は、例えば、判定条件を変更する処理である。上述のように、通信範囲Ａ１に鍵装置２が存在する状態で判定条件が成立しない状態が所定の待機時間Ｔ１以上継続した場合は、電気錠３を施錠又は解錠する第１処理が行われないので、セキュリティ性能を向上できる。
【００２５】
本実施形態では、第２処理は、判定条件が成立しにくくなるように判定条件を変更する処理であり、例えば、受信信号強度のしきい値（第２閾値）を、判定条件の変更前に比べて大きい値に変更する処理である。ここで、受信信号強度のしきい値（第２閾値）を判定条件の変更前に比べて大きい値に変更すると、認証エリアＡ２が、変更前の範囲Ａ２１に比べて狭い範囲Ａ２２に変更される（図２及び図３参照）。以下では、第２処理を行う前（変更前）の認証エリアＡ２を認証エリアＡ２１といい、第２処理を行った後（変更後）の認証エリアＡ２を認証エリアＡ２２という場合もある。例えば、ユーザ６が、認証エリアＡ２１において認証エリアＡ２２の外側に存在する場合、第２処理によって判定条件が変更されて認証エリアＡ２が認証エリアＡ２１から認証エリアＡ２２に変更されると、判定条件は不成立になる。したがって、この状態では電気錠３が解錠されることはなく、セキュリティ性能を向上できる、という利点がある。
【００２６】
（２）詳細
以下、本実施形態に係る電気錠制御システム１及び電気錠システム１０の構成について説明する。
【００２７】
（２．１）電気錠制御システム
電気錠制御システム１は、図１に示すように、錠側制御部１１と、検知部１２と、錠側通信部１３と、通知部１４と、錠側操作部１５と、錠側記憶部１６と、を備えている。本実施形態では、電気錠制御システム１は、錠側制御部１１、検知部１２、錠側通信部１３、通知部１４、錠側操作部１５及び錠側記憶部１６が１つのケース１７（図２及び図３参照）に収納されている。
【００２８】
検知部１２は、開閉部材５（本実施形態では玄関扉）の開閉を検知する。検知部１２は、玄関扉の扉枠に取り付けられるマグネットと、玄関扉が閉じられた状態でマグネットと対向するように玄関扉に配置される磁気センサと、を備えている。検知部１２は、磁気センサによる磁気の検出結果に基づいて玄関扉（開閉部材５）の開閉状態を検知し、その検知結果を錠側制御部１１に出力する。
【００２９】
錠側通信部１３は、例えば、アンテナと、通信回路と、を有し、電波を媒体とする無線通信を行う。錠側通信部１３は、例えばＢＬＥ［Bluetooth（登録商標） Low Energy］の規格に準拠した近距離無線通信を行うように構成されている。ここで、「ＢＬＥ」とは、無線ＰＡＮ（Personal Area Network）技術であるＢｌｕｅｔｏｏｔｈ（登録商標）の仕様における、低消費電力仕様（バージョン４．０以上）の呼称である。錠側通信部１３は、錠側制御部１１からの指令に従って、アドバタイズ信号（ビーコン信号）を間欠的に（例えば１秒間隔で）送信する。また、錠側通信部１３は、アドバタイズ信号に応答して鍵側通信部２２（後述する）から送信される応答信号を受信する。つまり、錠側通信部１３は、信号の送信機能及び受信機能を有しており、鍵側通信部２２との間で双方向の通信を行うように構成されている。また、錠側通信部１３は、受信した無線信号（電波信号）Ｓｉｇ１の受信信号強度（RSSI：Received Signal Strength Indicator）を計測する機能を有している。錠側通信部１３は、鍵装置２からの無線信号Ｓｉｇ１を受信すると、無線信号Ｓｉｇ１に含まれる鍵情報などの情報と、無線信号Ｓｉｇ１（受信信号）の受信信号強度（計測値）とを錠側制御部１１に出力する。
【００３０】
通知部１４は、例えば、ＬＥＤ（Light Emitting Diode）等で構成される表示部と、ブザーと、を有している。通知部１４は、開閉部材５が施錠されたか否かをユーザ６に通知する機能を有している。通知部１４は、例えば、電気錠３の動作状態を表示部に表示させる。具体的には、通知部１４は、電気錠３によって開閉部材５が施錠又は解錠されると、ＬＥＤを点灯又は点滅させる。また、通知部１４は、電気錠３によって開閉部材５が施錠されていない場合に、ブザーを鳴動させる。これにより、ユーザ６は、通知部１４の通知内容によって開閉部材５が施錠されたか否かを知ることができる。尚、通知部１４は電気錠制御システム１０に必須の構成ではなく、適宜省略が可能である。
【００３１】
錠側操作部１５は、ユーザ６（つまり、人）による操作入力を受け付ける機能を有している。錠側操作部１５は、例えば建物４の外側（宅外４２）に露出するようにケース１７に設けられた押釦スイッチを含む。尚、錠側操作部１５は、例えば開閉部材５（玄関扉）に備わっているドアハンドル（取っ手）に設けられてもよいし、ユーザ６がドアハンドルに触れる操作を検知するタッチセンサ等であってもよい。錠側操作部１５は、ユーザ６による操作入力を受け付けると、操作入力に応じた操作信号を錠側制御部１１に出力する。
【００３２】
錠側記憶部１６は、例えばＥＥＰＲＯＭ（Electrically Erasable and Programmable Read-Only Memory）のような電気的に書き換え可能な不揮発性メモリを備える。錠側記憶部１６は、電気錠３の制御を許可された１台以上の鍵装置２の鍵情報を認証情報として記憶する。複数の鍵装置２には互いに異なる鍵情報が付与されている。このため、錠側記憶部１６は、鍵装置２の識別情報と、鍵装置２に付与された鍵情報とを対応付けて記憶する。また、錠側記憶部１６は、第２処理が行われる前の判定条件、第２処理が行われた後の判定条件、及び第２処理を解除するための解除条件等も予め記憶している。
【００３３】
錠側制御部１１は、開閉部材５を施錠又は解錠する電気錠３を制御する。錠側制御部１１は、例えば、プロセッサ及びメモリを有するマイクロコンピュータで構成されている。つまり、錠側制御部１１は、プロセッサ及びメモリを有するコンピュータシステムで実現されている。プロセッサが、例えばメモリ又は錠側記憶部１６に記録されたプログラムを実行することにより、コンピュータシステムによって錠側制御部１１の各種の機能（例えば、認証部１１１、判定部１１２等の機能）が実現される。プログラムは、マイクロコンピュータのメモリ又は錠側記憶部１６に予め記録されていてもよいし、インターネット等の電気通信回線を通じて、又はメモリカード等の非一時的な記録媒体に記録されて提供されてもよい。
【００３４】
認証部１１１は、錠側通信部１３が鍵装置２から受信した鍵情報を、錠側記憶部１６が記憶する認証情報と照合することにより、鍵情報を送信してきた鍵装置２が、電気錠３の制御を許可された鍵装置２であるか否かを認証する。
【００３５】
判定部１１２は、錠側通信部１３が鍵装置２から受信した情報に基づいて、第１処理及び第２処理を行うか否かをそれぞれ判定する。錠側通信部１３が、鍵装置２から無線信号Ｓｉｇ１を受信すると、鍵装置２から受信した無線信号Ｓｉｇ１に含まれる情報と、無線信号Ｓｉｇ１の強度（計測値）とを錠側制御部１１に出力する。判定部１１２は、錠側通信部１３から入力される受信信号強度と第１閾値との高低を比較する。判定部１１２は、受信信号強度が第１閾値以上であれば、鍵装置２が通信範囲Ａ１に存在すると判定し、認証部１１１に鍵装置２の認証を行わせる。
【００３６】
判定部１１２は、通信範囲Ａ１において鍵装置２の存在を検知した状態で判定条件を満たしたと判断すると、第１処理を実行する。すなわち、判定部１１２は、通信範囲Ａ１において鍵装置２の存在を検知した状態で、所定のタイミングから所定の待機時間が経過するまでの間に、判定条件が満たされると第１処理を行う。上述のように、鍵装置２が通信範囲Ａ１に入ると、認証部１１１が鍵装置２の鍵情報を認証情報と照合する処理を行うのであるが、「所定のタイミング」とは、認証部１１１による鍵情報の認証が成功した鍵装置２が、認証エリアＡ２に入ったタイミングである。つまり、判定部１１２が、認証部１１１による鍵情報の認証が成功した鍵装置２からの受信信号強度が第２閾値以上であると判断したタイミングである。認証部１１１による鍵情報の認証が完了する前に、鍵装置２が認証エリアＡ２に入った場合には、認証部１１１によって認証エリアＡ２に入った鍵装置２の鍵情報の認証が成功したタイミングが「所定のタイミング」となる。本実施形態では、「判定条件」は、鍵装置２からの受信信号強度（計測値）が第２閾値以上で、錠側操作部１５が人によって操作されるという条件である。したがって、所定のタイミングから待機時間Ｔ１が経過するまでに、鍵装置２が認証エリアＡ２に存在する状態で、錠側操作部１５が操作されると、判定部１１２は判定条件が成立したと判断して第１処理を実行する。
【００３７】
一方、所定のタイミングから待機時間Ｔ１が経過しても、錠側操作部１５が操作されなかった場合、判定部１１２は、判定条件が成立しない状態が待機時間以上継続したと判断し、第２処理を行う。第２処理は、判定条件を変更する処理であり、例えば、第２閾値の値を判定条件の変更前よりも大きい値に変更する処理である。判定部１１２が第２処理を実行すると、認証エリアＡ２が、変更前の認証エリアＡ２１に比べて狭い認証エリアＡ２２に変更される。
【００３８】
（２．２）鍵装置
鍵装置２は、例えばスマートフォンのような携帯端末である。鍵装置２は、図１に示すように、鍵側制御部２１と、鍵側通信部２２と、鍵側操作部２３と、鍵側記憶部２４と、表示部２５と、を備えている。
【００３９】
鍵側制御部２１は、例えば、プロセッサ及びメモリを有するマイクロコンピュータで構成されている。つまり、鍵側制御部２１は、プロセッサ及びメモリを有するコンピュータシステムで実現されている。そして、プロセッサが適宜のプログラムを実行することにより、コンピュータシステムが鍵側制御部２１として機能する。プログラムは、メモリに予め記録されていてもよいし、インターネット等の電気通信回線を通じて、又はメモリカード等の非一時的な記録媒体に記録されて提供されてもよい。
【００４０】
鍵側通信部２２は、例えば、アンテナと、通信回路と、を有している。鍵側通信部２２は、錠側通信部１３との間で、例えばＢＬＥの規格に準拠した近距離無線通信を行うように構成されている。鍵側通信部２２は、鍵側制御部２１からの指令に従って、応答信号を送信する。また、鍵側通信部２２は、錠側通信部１３から送信されるアドバタイズ信号を受信する。鍵側通信部２２は、アドバタイズ信号を受信すると、アドバタイズ信号を受信したことを通知する応答信号を電気錠制御システム１に送信する。つまり、鍵側通信部２２は、信号の送信機能及び受信機能を有しており、錠側通信部１３との間で双方向の通信を行うように構成されている。鍵装置２からの応答信号を電気錠制御システム１の錠側通信部１３が受信することにより、鍵装置２の状態を確認する接続処理を行うための通信が電気錠制御システム１と鍵装置２との間で開始される。
【００４１】
鍵側操作部２３は、ユーザ６による操作入力を受け付ける機能を有している。鍵側操作部２３は、例えば鍵装置２のケースに設けられた押釦スイッチで構成されていてもよいし、鍵装置２のケースに設けられたレバーで構成されていてもよい。本実施形態では、鍵側操作部２３は、表示部２５を構成するディスプレイ装置に設けられたタッチパネルを有している。タッチパネルは、静電容量方式、感圧式などのタッチセンサを有する。ユーザ６が表示部２５のディスプレイ装置に触れる操作（タップ操作、スワイプ操作等）を行うと、鍵側操作部２３は、操作に応じた信号を鍵側制御部２１に出力する。
【００４２】
鍵側記憶部２４は、例えばＥＥＰＲＯＭのような電気的に書き換え可能な不揮発性メモリを備える。鍵側記憶部２４は、鍵装置２に割り当てられた個別の識別情報、及び電気錠制御システム１から付与された鍵情報等を記憶する。また、鍵側記憶部２４には、鍵装置２のコンピュータが実行するプログラムが記憶されている。このプログラムは、予めメモリに記憶されていてもよいし、インターネット等の電気通信回線を通じて、又はメモリカード等の非一時的な記録媒体に記録されて提供されてもよい。本実施形態のように、鍵装置２がスマートフォンであれば、鍵側記憶部２４には、ユーザ６が任意にインストールしたアプリケーションが記憶されていてもよい。
【００４３】
表示部２５は、例えば液晶ディスプレイ、有機ＥＬ（Electro Luminescence）ディスプレイ等の薄型ディスプレイ装置である。表示部２５は、鍵側制御部２１によって表示内容が制御される。
【００４４】
本実施形態では、鍵装置２が、例えばスマートフォンのような携帯端末である場合について説明するが、鍵装置２は他の構成であってもよい。例えば、鍵装置２は、コンピュータを電気錠制御システム１の鍵として動作させるためのプログラム（アプリケーション）を実行可能な携帯端末であれば、タブレット型のコンピュータ等であってもよい。また、鍵装置２は、電気錠制御システム１に用いられる専用のリモコン装置でもよく、例えばユーザ６が所持する鞄などに収納又は取付可能な電子タグ等であってもよい。鍵装置２が電子タグ等の専用のリモコン装置である場合、鍵側操作部２３は押釦スイッチ等で構成されていればよく、表示部２５はＬＥＤ等で構成されていればよい。
【００４５】
（２．３）電気錠
電気錠３は、開閉部材５（ここでは、玄関扉）を解錠及び施錠する。電気錠３は、デッドボルトと、駆動部と、駆動回路と、を有している。駆動回路は、錠側制御部１１から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材５を支持する扉枠に設けられたボルト穴に挿入されており、この状態では開閉部材５が閉じた状態で保持される。つまり、開閉部材５が施錠された状態となる。デッドボルトが解錠位置に移動した状態では、デッドボルトの全体がボルト穴の外に出ており、この状態では開閉部材５の開閉が可能になる。つまり、開閉部材５が解錠された状態となる。
【００４６】
（３）動作
まず、電気錠制御システム１が行う第１処理について図４を参照して説明する。
【００４７】
電気錠制御システム１では、錠側通信部１３がアドバタイズ信号を定期的（例えば、１秒ごと）に送信している（Ｓ１）。
【００４８】
鍵装置２を携帯するユーザ６が、宅外４２から宅内４１に入るために建物４の開口部４０に近付いた場合を想定する。宅外４２において鍵装置２を携帯するユーザ６が建物４の開口部４０に近づき、鍵装置２が錠側通信部１３からのアドバタイズ信号を受信すると、鍵装置２はアドバタイズ信号に対する応答信号を錠側通信部１３に送信する（Ｓ２）。
【００４９】
錠側制御部１１は、錠側通信部１３での受信信号強度（計測値）と第１閾値との大小を比較し、受信信号強度が第１閾値以上であれば、鍵装置２が通信範囲Ａ１内に存在すると判定（検知）する（Ｓ３）。
【００５０】
錠側制御部１１は、通信範囲Ａ１に存在する鍵装置２を検知すると、鍵装置２の状態を監視するために錠側通信部１３と鍵装置２との間で定期的（例えば、０．１秒ごと）に通信を行わせる（Ｓ４：監視処理）。
【００５１】
錠側制御部１１は、鍵装置２との通信を開始すると、鍵装置２の認証処理を行う（Ｓ５）。錠側制御部１１は、錠側通信部１３から鍵装置２に鍵情報の送信を要求し、錠側通信部１３が鍵装置２から送信された鍵情報を受信すると、鍵情報を錠側記憶部１６が記憶する認証情報と照合する。錠側制御部１１は、鍵情報が認証情報と一致すれば（つまり、鍵情報の認証が成功すると）、電気錠３の制御を許可された鍵装置２であると判断し、鍵情報が認証情報と一致しなければ、電気錠３の制御を許可していない鍵装置２であると判断する。
【００５２】
鍵情報の認証が成功した場合、錠側制御部１１は、錠側通信部１３と鍵装置２との間で定期的な通信を行わせ、鍵装置２からの受信信号強度が第２閾値以上になると、鍵装置２が認証エリアＡ２に存在すると判断する（Ｓ６）。
【００５３】
そして、鍵装置２が認証エリアＡ２に存在すると錠側制御部１１が判断したタイミングから所定の待機時間Ｔ１が経過するまでの間に、ユーザ６が錠側操作部１５を操作すると、錠側操作部１５から錠側制御部１１に操作信号が出力される（Ｓ７）。錠側制御部１１は、待機時間Ｔ１が経過するまでに錠側操作部１５から操作信号が入力されると、判定条件が成立したと判断し（Ｓ８）、電気錠３に解錠信号を出力する（Ｓ９）。電気錠３は、錠側制御部１１から解錠信号が入力されると開閉部材５を解錠する（Ｓ１０）。つまり、錠側制御部１１は、開閉部材５を解錠する第１処理を行う。これにより、鍵装置２を携帯するユーザ６は開閉部材５を開けて宅内４１に入ることができる。なお、錠側制御部１１は、電気錠３を解錠させた後、一定時間が経過すると、電気錠３に施錠信号を出力して電気錠３を施錠すればよい。
【００５４】
次に、電気錠制御システム１が行う第２処理について図５を参照して説明する。
【００５５】
電気錠制御システム１では、錠側通信部１３がアドバタイズ信号を定期的に送信している（Ｓ１１）。
【００５６】
鍵装置２を携帯するユーザ６が、宅外４２から宅内４１に入るために建物４の開口部４０に近付いた場合を想定する。宅外４２において鍵装置２を携帯するユーザ６が建物４の開口部４０に近づき、鍵装置２が錠側通信部１３からのアドバタイズ信号を受信すると、鍵装置２はアドバタイズ信号に対する応答信号を錠側通信部１３に送信する（Ｓ１２）。
【００５７】
錠側制御部１１は、錠側通信部１３での受信信号強度と第１閾値との大小を比較し、受信信号強度が第１閾値以上であれば、鍵装置２が通信範囲Ａ１内に存在すると判定（検知）する（Ｓ１３）。
【００５８】
錠側制御部１１は、通信範囲Ａ１に存在する鍵装置２を検知すると、鍵装置２の状態を監視するために錠側通信部１３と鍵装置２との間で定期的に通信を行わせる（Ｓ１４：監視処理）。
【００５９】
錠側制御部１１は、鍵装置２との通信を開始すると、鍵装置２の認証処理を行う（Ｓ１５）。錠側制御部１１は、錠側通信部１３から鍵装置２に鍵情報の送信を要求し、錠側通信部１３が鍵装置２から送信された鍵情報を受信すると、鍵情報を錠側記憶部１６が記憶する認証情報と照合する。
【００６０】
鍵情報の認証が成功した場合、錠側制御部１１は、錠側通信部１３と鍵装置２との間で定期的な通信を行わせ、鍵装置２からの受信信号強度が第２閾値以上になると、鍵装置２が認証エリアＡ２（Ａ２１）に存在すると判断する（Ｓ１６）。
【００６１】
ここで、鍵装置２が認証エリアＡ２１に存在すると判断されたタイミングから待機時間Ｔ１が経過するまでに、錠側操作部１５が操作されなかった場合、つまり判定条件が成立しない状態が待機時間Ｔ１以上経過すると、錠側制御部１１は第２処理を行う（Ｓ１７）。ここで、第２処理は、判定条件を変更する処理であり、第２閾値を変更前よりも大きい値に設定することで、認証エリアＡ２を変更前の認証エリアＡ２１に比べて狭い認証エリアＡ２２に変更する。錠側制御部１１は、第２処理を行うと、変更後の判定条件に基づいて施錠又は解錠の判定を行う。
【００６２】
例えば、鍵装置２を携帯するユーザ６が、認証エリアＡ２１において認証エリアＡ２２の外側で停止している場合、ユーザ６は変更後の認証エリアＡ２２の外側に位置するため、この状態では第三者によって錠側操作部１５が操作されても、判定条件は成立しない。したがって、電気錠３の解錠を許可されていない第三者によって電気錠３が解錠される可能性が減り、セキュリティ性能を向上することができる。
【００６３】
その後、鍵装置２を携帯するユーザ６が、認証エリアＡ２２に移動すると、錠側制御部１１は、鍵装置２からの受信信号強度をもとに、電気錠３の施錠又は解錠を許可された鍵装置２が認証エリアＡ２２に存在すると判断する（Ｓ１８）。この状態で、ユーザ６が錠側操作部１５を操作すると（Ｓ１９）、錠側操作部１５から錠側制御部１１に操作信号が出力される。錠側制御部１１は、錠側操作部１５から操作信号が入力されると、判定条件が満たされたと判断し（Ｓ２０）、電気錠３に解錠信号を出力する（Ｓ２１）。電気錠３は、錠側制御部１１から解錠信号が入力されると開閉部材５を解錠する（Ｓ２２）。つまり、錠側制御部１１は、開閉部材５を解錠する第１処理を行う。これにより、鍵装置２を携帯するユーザ６は開閉部材５を開けて宅内４１に入ることができる。なお、錠側制御部１１は、電気錠３を解錠させた後、一定時間が経過すると、電気錠３に施錠信号を出力して電気錠３を施錠すればよい。
【００６４】
このように、電気錠制御システム１は、第２処理を行って判定条件を変更した後も、変更後の判定条件にしたがって第１処理を行うか否かを判定している。したがって、第２処理によって判定条件が変更された後も、鍵装置２を用いて電気錠３を解錠又は制御することができ、電気錠制御システム１の使用性を保ちつつ、セキュリティ性能を向上できる。
【００６５】
また、錠側制御部１１は、第２処理を行った後に鍵装置２の鍵情報に基づく認証処理が成功して電気錠３の解錠が完了すると、所定の解除条件が満たされたと判断して、第２処理を解除し、第２処理を行う前の状態に戻す（Ｓ２３）。すなわち、錠側制御部１１は、判定条件を、第２処理によって変更する前の判定条件に戻しており、第２閾値を変更前の値に戻している。これにより、認証エリアＡ２は、変更後の認証エリアＡ２２から、認証エリアＡ２１になり、認証エリアＡ２が制限されている状態が継続しないので、電気錠制御システム１の使い勝手が向上する。
【００６６】
（４）変形例
上述の実施形態は、本開示の様々な実施形態の一つに過ぎない。上述の実施形態は、本開示の目的を達成できれば、設計等に応じて種々の変更が可能である。また、電気錠制御システム１と同様の機能は、電気錠制御システム１の制御方法、コンピュータプログラム、又はコンピュータプログラムを記録した非一時的な記録媒体等で具現化されてもよい。
【００６７】
一態様に係る制御方法は、第１処理と、第２処理と、を含む。また、一態様に係るプログラムは、コンピュータシステムに、第１処理と、第２処理と、を実行させるためのプログラムである。第１処理は、鍵装置２との間の通信状態に基づいて所定の通信範囲Ａ１において鍵装置２の存在を検知した状態で判定条件を満たした場合は、電気錠３を施錠又は解錠する処理である（図４のステップＳ８）。第２処理は、通信範囲Ａ１において鍵装置２の存在を検知したタイミングから待機時間Ｔ１が経過するまでの間に判定条件が成立しない場合に行う、第１処理とは異なる所定の処理である（図５のステップＳ１５）。
【００６８】
以下、上述の実施形態の変形例を列挙する。以下に説明する変形例は、適宜組み合わせて適用可能である。
【００６９】
（４．１）変形例１
上述の実施形態では、判定部１１２の判定処理において用いられる受信信号強度が鍵装置２からの無線信号Ｓｉｇ１の受信信号強度である場合を例として説明したが、電気錠制御システム１からの無線信号の受信信号強度であってもよい。この場合、電気錠制御システム１からの無線信号の受信信号強度を鍵装置２で計測し、その計測結果を鍵装置２から電気錠制御システム１に送信する。そして、電気錠制御システム１の判定部１１２は、鍵装置２で受信された受信信号の受信信号強度（計測値）に基づいて判定処理を行う。
【００７０】
また、鍵装置２に判定部が設けられていてもよい。この場合、判定部の判定処理において用いられる受信信号強度は、鍵装置２から電気錠制御システム１への無線信号Ｓｉｇ１の受信信号強度であってもよいし、電気錠制御システム１から鍵装置２への無線信号の受信信号強度であってもよい。鍵装置２から電気錠制御システム１への無線信号Ｓｉｇ１の場合には、無線信号Ｓｉｇ１の受信信号強度を電気錠制御システム１で計測し、その計測結果を電気錠制御システム１から鍵装置２に送信する。また、電気錠制御システム１から鍵装置２への無線信号の場合には、無線信号の受信信号強度を鍵装置２で計測する。そして、鍵装置２の判定部が、取得した受信信号強度に基づいて判定処理を行えばよい。
【００７１】
（４．２）変形例２
第２処理は、受信信号強度のしきい値である第２閾値を変更する処理であったが、例えば、錠側通信部１３又は鍵側通信部２２の感度を変更することで、認証エリアＡ２を変更する処理でもよい。錠側制御部１１が、鍵装置２の鍵側通信部２２の感度を変更する場合、錠側通信部１３から鍵装置２に感度を低下させる制御信号を送信して、鍵装置２で受信感度を変更させればよい。
【００７２】
また、第２処理は、鍵装置２が存在するか否かを検知するための検知条件を変更する処理でもよい。例えば、第２処理は、第１閾値の値を大きくしたり、アドバタイズ信号の送信出力を低下させたりすることで、鍵装置２が存在するか否かを検知する範囲（通信範囲Ａ１）を変更前に比べて狭くする処理でもよい。
【００７３】
また、第２処理は、錠側通信部１３が通信範囲Ａ１に存在する鍵装置２と通信する時間間隔を変更する処理でもよい。例えば、第２処理は、通信の時間間隔を変更前に比べて長い時間間隔（例えば１秒間隔）に変更してもよく、単位時間当たりの通信回数（頻度）が減少する。このように、錠側通信部１３と鍵装置２との間の通信回数が減少するので、電気錠制御システム１及び鍵装置２での消費電力を低減できる。
【００７４】
（４．３）変形例３
第２処理を解除する解除条件は、鍵装置２の鍵情報に基づく認証処理が成功して電気錠３の解錠が完了するという条件であるが、鍵装置２の鍵情報に基づく認証処理が成功して電気錠３の施錠が完了するという条件でもよい。
【００７５】
ここで、電気錠制御システム１が複数の鍵装置２を備える場合、第２処理を解除する解除条件は、第２処理が行われる原因となった鍵装置２を用いて電気錠３の施錠又は解錠が完了するという条件でもよい。この場合、他の鍵装置２では第２処理を解除できないので、セキュリティ性能を向上できる。
【００７６】
また、第２処理を解除する解除条件は、複数の鍵装置２のいずれかで、電気錠３の施錠又は解錠が完了するという条件でもよい。この場合、いずれの鍵装置２でも第２処理を解除できるので、使い勝手が向上する。
【００７７】
また、第２処理を解除する解除条件は、鍵装置２と錠側通信部１３との通信状態が変化するという条件でもよい。例えば、解除条件は、錠側通信部１３が鍵装置２から受信した受信信号強度が第１閾値を下回るという条件、つまり鍵装置２が通信範囲Ａ１の外に出るという条件でもよい。
【００７８】
また、解除条件は、錠側通信部１３が鍵装置２と通信できなくなるという条件、例えば鍵装置２が錠側通信部１３からのアドバタイズ信号を受信できない距離に移動したという条件でもよい。
【００７９】
また、解除条件によって全ての鍵装置２について第２処理が解除されてもよいし、特定の鍵装置２のみ第２処理が解除されてもよい。例えば、解除条件が電気錠３の施錠又は解錠が完了するという条件の場合、錠側制御部１１は、認証エリアＡ２内にある全ての鍵装置２について第２処理を解除する。また、解除条件が、鍵装置２が通信範囲Ａ１の外に出るという条件の場合、錠側制御部１１は、通信範囲Ａ１の外に出た鍵装置２のみ第２処理を解除する。この場合、通信エリアＡ１に他の鍵装置２が存在する場合、錠側制御部１１は、通信エリアＡ１にある他の鍵装置２については第２処理を解除しない。
【００８０】
（４．４）変形例４
上記実施形態では、電気錠システム１０の錠側記憶部１６に、第２処理が行われる前の判定条件と、第２処理が行われた後の判定条件と、解除条件とが予め記憶されているが、鍵装置２から判定条件及び解除条件を設定してもよい。
【００８１】
以下では、鍵装置２を携帯するユーザ６が、宅外４２において電気錠制御システム１の設置場所に移動し、鍵装置２を用いて判定条件を設定する動作を図６に基づいて説明する。
【００８２】
電気錠制御システム１では、錠側通信部１３がアドバタイズ信号を定期的に送信しており（Ｓ３１）、鍵装置２が錠側通信部１３からのアドバタイズ信号を受信すると、鍵装置２はアドバタイズ信号に対する応答信号を錠側通信部１３に送信する（Ｓ３２）。
【００８３】
錠側制御部１１は、錠側通信部１３が受信した受信信号の受信信号強度（計測値）と第１閾値との大小を比較し、受信信号強度が第１閾値以上であれば、鍵装置２が通信範囲Ａ１内に存在すると判定（検知）する。
【００８４】
錠側制御部１１は、通信範囲Ａ１に存在する鍵装置２を検知すると、鍵装置２の状態を監視するために錠側通信部１３と鍵装置２との間で定期的に通信を行わせる（Ｓ３３：監視処理）。
【００８５】
錠側制御部１１は、鍵装置２との通信を開始すると、鍵装置２の認証処理を行う（Ｓ３４）。錠側制御部１１は、錠側通信部１３から鍵装置２に鍵情報の送信を要求し、錠側通信部１３が鍵装置２から送信された鍵情報を受信すると、鍵情報を錠側記憶部１６が記憶する認証情報と照合する。ここで、鍵装置２の鍵情報の認証に成功した場合、鍵装置２を用いた判定条件及び解除条件を設定が可能になる。
【００８６】
鍵装置２を携帯するユーザ６が、鍵装置２から判定条件及び解除条件を設定する場合、ユーザ６は、例えば、鍵装置２にインストールされた電気錠３を制御するためのアプリケーションを起動させる。ユーザ６が、鍵側操作部２３を用いて判定条件を設定する操作を行うと、判定条件の設定情報が鍵装置２から電気錠制御システム１に送信される（Ｓ３５）。ここにおいて、鍵装置２にインストールされた電気錠３を制御するためのアプリケーションが起動されるタイミングは、ユーザ６が判定条件を設定する操作を行うタイミングに限定されない。電気錠３を制御するためのアプリケーションは、ユーザ６が判定条件を設定する操作を行う以前のタイミングで自動的に起動されていてもよいし、バックグランドで動いていてもよい。尚、鍵情報の認証が失敗した場合は、鍵装置２が、鍵情報の認証に失敗しており、判定条件の設定ができない旨を表示部２５に表示し、判定条件の設定情報を送信しない。
【００８７】
錠側通信部１３が鍵装置２から送信された判定条件の設定情報を受信すると、錠側制御部１１に判定条件の変更情報を出力する。錠側制御部１１は、鍵情報の認証が成功した鍵装置２から判定条件の設定情報を受信すると、判定条件の設定情報に基づき、判定条件の設定内容を錠側記憶部１６に記憶させる（Ｓ３６）。
【００８８】
これにより、ユーザ６は、鍵装置２を用いて判定条件を設定できるから、ユーザ６の使い勝手に合わせて判定条件を設定でき、使用性が向上する。同様に、ユーザ６は、鍵装置２を用いて解除条件を設定できるから、ユーザ６の使い勝手に合わせて解除条件を設定できる。
【００８９】
また、電気錠制御システム１が複数の鍵装置２を有する場合、複数の鍵装置２のそれぞれで互いに異なる判定条件、解除条件を設定してもよい。
【００９０】
ここで、２つの鍵装置２（２Ａ，２Ｂ）を用いて判定条件を設定する動作を図７に基づいて説明する。
【００９１】
鍵装置２Ａを携帯するユーザ６が、鍵装置２Ａを用いて電気錠制御システム１の判定条件又は解除条件を設定する場合、鍵装置２Ａを携帯して電気錠制御システム１の近くに移動する。鍵装置２Ａを携帯するユーザ６が通信範囲Ａ１に入ると、鍵装置２Ａが、電気錠制御システム１から送信されるアドバタイズ信号を受信し（Ｓ４１）、アドバタイズ信号に対する応答信号を錠側通信部１３に送信する（Ｓ４２）。
【００９２】
錠側制御部１１は、鍵装置２Ａからの応答信号を受信すると、通信範囲Ａ１内に存在する鍵装置２Ａと定期的に通信を行う監視処理を行う（Ｓ４３）。
【００９３】
錠側制御部１１は、鍵装置２Ａとの通信を開始すると、鍵装置２Ａの認証処理を行う（Ｓ４４）。錠側制御部１１は、錠側通信部１３から鍵装置２Ａに鍵情報の送信を要求し、錠側通信部１３が鍵装置２Ａから送信された鍵情報を受信すると、鍵情報を錠側記憶部１６が記憶する認証情報と照合する。ここで、鍵装置２Ａの鍵情報の認証に成功した場合、鍵装置２Ａを用いた判定条件及び解除条件を設定が可能になる。
【００９４】
鍵装置２Ａを携帯するユーザ６が、鍵装置２Ａから判定条件及び解除条件を設定する場合、鍵装置２Ａにインストールされた電気錠３を制御するためのアプリケーションを起動させる。ユーザ６が、鍵側操作部２３を用いて判定条件を設定する操作を行うと（Ｓ４５）、判定条件の設定情報が鍵装置２Ａから電気錠制御システム１に送信される（Ｓ４６）。ここにおいて、鍵装置２Ａにインストールされた電気錠３を制御するためのアプリケーションが起動されるタイミングは、ユーザ６が判定条件を設定する操作を行うタイミングに限定されない。電気錠３を制御するためのアプリケーションは、ユーザ６が判定条件を設定する操作を行う以前のタイミングで自動的に起動されていてもよいし、バックグランドで動いていてもよい。尚、鍵情報の認証が失敗した場合は、鍵装置２Ａが、鍵情報の認証に失敗し判定条件の設定ができない旨を表示部２５に表示し、判定条件の設定情報を送信しない。
【００９５】
錠側通信部１３が鍵装置２Ａから送信された判定条件の設定情報を受信すると、錠側制御部１１に判定条件の変更情報を出力する。錠側制御部１１は、鍵情報の認証が成功した鍵装置２Ａから判定条件の設定情報を受信すると、判定条件の設定情報に基づき、判定条件の設定内容を錠側記憶部１６に記憶させる（Ｓ４７）。
【００９６】
次に、鍵装置２Ｂを携帯するユーザ６が、鍵装置２Ｂを用いて電気錠制御システム１の判定条件又は解除条件を設定する場合、鍵装置２Ｂを携帯して電気錠制御システム１の近くに移動する。鍵装置２Ｂを携帯するユーザ６が通信範囲Ａ１に入ると、鍵装置２Ｂが、電気錠制御システム１から送信されるアドバタイズ信号を受信し（Ｓ４８）、アドバタイズ信号に対する応答信号を錠側通信部１３に送信する（Ｓ４９）。
【００９７】
錠側制御部１１は、鍵装置２Ｂからの応答信号を受信すると、通信範囲Ａ１内に存在する鍵装置２Ｂと定期的に通信を行う監視処理を行う（Ｓ５０）。
【００９８】
錠側制御部１１は、鍵装置２Ｂとの通信を開始すると、鍵装置２Ｂの認証処理を行う（Ｓ５１）。錠側制御部１１は、錠側通信部１３から鍵装置２Ｂに鍵情報の送信を要求し、錠側通信部１３が鍵装置２Ｂから送信された鍵情報を受信すると、鍵情報を錠側記憶部１６が記憶する認証情報と照合する。ここで、鍵装置２Ｂの鍵情報の認証に成功した場合、鍵装置２Ｂを用いた判定条件及び解除条件を設定が可能になる。
【００９９】
鍵装置２Ｂを携帯するユーザ６が、鍵装置２Ｂから判定条件及び解除条件を設定する場合、鍵装置２Ｂにインストールされた電気錠３を制御するためのアプリケーションを起動させる。ユーザ６が、鍵側操作部２３を用いて判定条件を設定する操作を行うと（Ｓ５２）、判定条件の設定情報が鍵装置２Ｂから電気錠制御システム１に送信される（Ｓ５３）。ここにおいて、鍵装置２Ｂにインストールされた電気錠３を制御するためのアプリケーションが起動されるタイミングは、ユーザ６が判定条件を設定する操作を行うタイミングに限定されない。電気錠３を制御するためのアプリケーションは、ユーザ６が判定条件を設定する操作を行う以前のタイミングで自動的に起動されていてもよいし、バックグランドで動いていてもよい。尚、鍵情報の認証が失敗した場合は、鍵装置２Ｂが、鍵情報の認証に失敗し判定条件の設定ができない旨を表示部２５に表示し、判定条件の設定情報を送信しない。
【０１００】
錠側通信部１３が鍵装置２Ｂから送信された判定条件の設定情報を受信すると、錠側制御部１１に判定条件の変更情報を出力する。錠側制御部１１は、鍵情報の認証が成功した鍵装置２Ｂから判定条件の設定情報を受信すると、判定条件の設定情報に基づき、判定条件の設定内容を錠側記憶部１６に記憶させる（Ｓ５４）。
【０１０１】
これにより、電気錠制御システム１の錠側記憶部１６には、鍵装置２Ａ，２Ｂのそれぞれで判定条件が設定されるから、錠側制御部１１は、鍵装置２Ａ，２Ｂのそれぞれで設定された判定条件を用いて第１処理及び第２処理を行うか否かを判定することができる。ユーザ６は、鍵装置２Ａ，２Ｂを用いて鍵装置２Ａ，２Ｂのそれぞれに対応する判定条件を設定できるから、ユーザ６の使い勝手に合わせて判定条件を設定でき、使用性が向上する。同様に、ユーザ６は、鍵装置２Ａ，２Ｂを用いて鍵装置２Ａ，２Ｂのそれぞれに対応する解除条件を設定できるから、ユーザ６の使い勝手に合わせて解除条件を設定でき、使用性が向上する。
【０１０２】
また、１つの建物４に開口部４０が複数あり、複数の開口部４０にそれぞれ電気錠制御システム１が設けられている場合、ユーザ６は、鍵装置２を用いて複数の電気錠制御システム１のそれぞれに判定条件を設定してもよい。この場合、ユーザ６は、複数の電気錠制御システム１に共通の判定条件を設定してもよいし、複数の電気錠制御システム１のそれぞれで互いに異なる判定条件を設定してもよい。
【０１０３】
また、複数ある鍵装置２のうち１以上の鍵装置２に、判定条件を設定できる設定権限を持たせ、設定権限を有する鍵装置２のみが電気錠制御システム１に判定条件を設定できるようにしてもよい。
【０１０４】
（４．５）その他の変形例
以下、その他の変形例について列挙する。
【０１０５】
本開示における電気錠制御システム１の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における電気錠制御システム１又は制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０６】
上述の実施形態では、錠側制御部１１が１つの回路で実現されているが、２つ以上の回路で実現されていてもよい。例えば、錠側制御部１１の機能が、２つ以上の回路に分散して設けられていてもよい。また、例えば、錠側制御部１１の機能が、１つのケースに収まる１つの装置に設けられていてもよいし、複数の装置に分散して設けられていてもよい。更に、錠側制御部１１の少なくとも一部の機能は、例えば、クラウド（クラウドコンピューティング）によって実現されていてもよい。
【０１０７】
上述の実施形態では、錠側制御部１１、錠側通信部１３、及び錠側操作部１５が１つのケース１７に収納されているが、これに限定する趣旨ではない。例えば、錠側制御部１１、錠側通信部１３、及び錠側操作部１５は、２つ以上のケース１７に分散して収納されていてもよい。
【０１０８】
上述の実施形態では、電気錠制御システム１が通知部１４を備えているが、鍵装置２が通知部を備えていてもよい。この場合には、ユーザ６が鍵装置２を所持していることが前提になるが、電気錠３によって開閉部材５が施錠されていることを鍵装置２の通知部にてユーザ６に通知することができる。通知部による通知方法は、例えば開閉部材５が施錠された旨の表示を鍵装置２の表示部２５に表示させてもよいし、開閉部材５が施錠された旨の音声メッセージを鍵装置２のスピーカ等から出力させてもよい。もちろん、開閉部材５が施錠された旨を鍵装置２のブザー等で通知してもよい。
【０１０９】
上述の実施形態では、鍵装置２は、開閉部材５の解錠操作及び施錠操作の両方を行うことができるが、他の構成であってもよい。例えば、鍵装置２は、開閉部材５の解錠操作だけを行う構成であってもよい。すなわち、鍵装置２は、開閉部材５の施錠操作及び解錠操作のうち少なくとも解錠操作を行うように構成されていればよい。
【０１１０】
上述の実施形態では、開閉部材５は、建物４の内側（宅内４１）と外側（宅外４２）とを隔てる扉（開き戸又は引戸）又は窓であるが、建物４の一部の区画の内側と外側とを隔てる扉であってもよい。例えば、建物４が複数の住戸を有する集合住宅、複数の店舗を有するテナントビル、及び複数の事務所を有するオフィスビルであれば、個々の区画（住戸、店舗、事務所）の内側と外側とを隔てる扉が開閉部材５となる。
【０１１１】
上述の実施形態では、電気錠システム１０は戸建て住宅に適用されているが、例えば集合住宅の各住戸に適用されてもよい。また、電気錠システム１０は、集合住宅の共用部玄関に適用されてもよいし、事務所、店舗、工場などの非住宅用の建物４に適用されてもよい。
【０１１２】
（まとめ）
以上述べた実施形態から明らかなように、第１の態様の電気錠制御システム（１）は、鍵装置（２）と無線通信する錠側通信部（１３）と、錠側通信部（１３）が鍵装置（２）から受信した情報に基づいて電気錠（３）を制御する錠側制御部（１１）と、を備える。
電気錠（３）は、建物（４）の開口部（４０）を開閉する開閉部材（５）を施錠又は解錠する。錠側制御部（１１）は、錠側通信部（１３）と鍵装置（２）との間の通信状態に基づいて所定の通信範囲（Ａ１）において鍵装置（２）の存在を検知した状態で判定条件を満たした場合は、電気錠（３）を施錠又は解錠する第１処理を行う。錠側制御部（１１）は、通信範囲（Ａ１）に鍵装置（２）が存在する状態で判定条件が成立しない状態が所定の待機時間（Ｔ１）以上継続した場合、第１処理とは異なる所定の第２処理を行う。
【０１１３】
これにより、鍵装置（２）の存在を検知したタイミングから待機時間（Ｔ１）が経過するまでの間に判定条件が成立しない場合は、電気錠（３）を施錠又は解錠する第１処理が行われないので、セキュリティ性能を向上できる。
【０１１４】
第２の態様の電気錠制御システム（１）では、第１の態様において、判定条件は、受信信号強度が所定のしきい値以上であることを含む。受信信号強度は、錠側通信部（１３）が鍵装置（２）から受信する信号の受信信号強度と、鍵装置（２）が錠側通信部（１３）から受信する信号の受信信号強度との少なくとも一方である。
【０１１５】
これにより、受信信号強度がしきい値以上となる範囲の外側に鍵装置（２）が存在する場合には判定条件が成立しないので、セキュリティ性能を向上できる。
【０１１６】
第３の態様の電気錠制御システム（１）では、第１又は第２の態様において、第２処理は、判定条件を変更する変更処理を含む。
【０１１７】
これにより、鍵装置（２）の存在を検知したタイミングから待機時間（Ｔ１）が経過するまでの間に判定条件が成立しない場合は、第１処理を行うか否かを判定する判定条件が変更されるので、判定条件の変更によってセキュリティ性能の向上を図ることができる。また、変更後の判定条件が満たされると、錠側制御部（１１）は電気錠（３）を施錠又は解錠する第１処理を行うので、電気錠制御システム（１）の使い勝手が損なわれることはなく、使用性を保ちつつセキュリティ性能を向上できる。
【０１１８】
第４の態様の電気錠制御システム（１）では、第１〜第３のいずれかの態様において、第２処理は、鍵装置（２）が存在するか否かを検知するための検知条件を変更する処理を含む。
【０１１９】
これにより、鍵装置（２）の存在を検知したタイミングから待機時間（Ｔ１）が経過するまでの間に判定条件が成立しない場合は、検知条件が変更されるので、検知条件の変更によって通信範囲（Ａ１）を変更することができる。
【０１２０】
第５の態様の電気錠制御システム（１）では、第１〜第４のいずれかの態様において、第２処理は、錠側通信部（１３）が通信範囲（Ａ１）に存在する鍵装置（２）と通信する時間間隔を変更する処理を含む。
【０１２１】
これにより、鍵装置（２）の存在を検知したタイミングから待機時間（Ｔ１）が経過するまでの間に判定条件が成立しない場合は、錠側通信部（１３）が通信範囲（Ａ１）に存在する鍵装置（２）と通信する時間間隔を変更することができる。例えば、通信の時間間隔を長くすれば、錠側通信部（１３）と鍵装置（２）との間の単位時間当たりの通信回数が減少するので、錠側通信部（１３）及び鍵装置（２）での消費電力を低減できる。
【０１２２】
第６の態様の電気錠制御システム（１）では、第１〜第５のいずれかの態様において、錠側制御部（１１）は、所定の解除条件を満たした場合に、第２処理を行う前の状態に戻す。
【０１２３】
これにより、錠側制御部（１１）は、解除条件が満たされると、第２処理を行う前の状態に戻すことができるので、電気錠制御システム（１）の使い勝手が向上する。
【０１２４】
第７の態様の電気錠制御システム（１）では、第６の態様において、解除条件は、電気錠（３）の施錠又は解錠が完了することと、鍵装置（２）と錠側通信部（１３）との通信状態が変化することとの少なくとも一方を含む。
【０１２５】
これにより、電気錠（３）の施錠又は解錠が完了するか、又は鍵装置（２）と錠側通信部（１３）との通信状態が変化すると、錠側制御部（１１）は第２処理を行う前の状態に戻すので、電気錠制御システム（１）の使い勝手が向上する。
【０１２６】
第８の態様の電気錠制御システム（１）では、第１〜第７のいずれかの態様において、錠側制御部（１１）は、錠側通信部（１３）が鍵装置（２）から受信した設定情報をもとに判定条件を設定する。
【０１２７】
これにより、ユーザ（６）は鍵装置（２）を用いて判定条件を設定できる。
【０１２８】
第９の態様の電気錠制御システム（１）では、第８の態様において、鍵装置（２）が複数あり、錠側制御部（１１）は、複数の鍵装置（２）のそれぞれについて判定条件を設定する。
【０１２９】
これにより、電気錠制御システム（１）において複数の鍵装置（２）が使用される場合は、複数の鍵装置（２）のそれぞれで判定条件を設定できるので、電気錠制御システム（１）の使い勝手が向上する。
【０１３０】
第１０の態様の電気錠システム（１０）は、第１〜第９のいずれかの態様の電気錠制御システム（１）と、錠側制御部（１１）によって制御される電気錠（３）とを含む。
【０１３１】
これにより、セキュリティ性能を向上できる電気錠システム（１０）を実現できる。
【０１３２】
第１１の態様の電気錠システム（１０）は、第１０の態様の電気錠システム（１０）において、電気錠（３）を解錠又は施錠するための鍵装置（２）を更に備える。
【０１３３】
これにより、セキュリティ性能を向上できる電気錠システム（１０）を実現できる。
【０１３４】
第１２の態様の電気錠制御システム（１）の制御方法は、第１処理と、第２処理とを含む。第１処理は、鍵装置（２）との間の通信状態に基づいて所定の通信範囲（Ａ１）において鍵装置（２）の存在を検知した状態で判定条件を満たした場合は、電気錠（３）を施錠又は解錠する処理である。第２処理は、通信範囲（Ａ１）に鍵装置（２）が存在する状態で判定条件が成立しない状態が所定の待機時間（Ｔ１）以上継続した場合に行う、第１処理とは異なる所定の処理である。
【０１３５】
これにより、セキュリティ性能を向上できる。
【０１３６】
第１３の態様のプログラムは、コンピュータシステムに、第１処理と、第２処理と、を実行させるためのプログラムである。第１処理は、鍵装置（２）との間の通信状態に基づいて所定の通信範囲（Ａ１）において鍵装置（２）の存在を検知した状態で判定条件を満たした場合は、電気錠（３）を施錠又は解錠する処理である。第２処理は、通信範囲（Ａ１）に鍵装置（２）が存在する状態で判定条件が成立しない状態が所定の待機時間（Ｔ１）以上継続した場合に行う、第１処理とは異なる所定の処理である。
【０１３７】
これにより、セキュリティ性能を向上できる。
【０１３８】
第２〜第９の態様に係る構成については、電気錠制御システム（１）の必須の構成ではなく、適宜省略可能である。第１１の態様に係る構成については、電気錠システム（１０）の必須の構成ではなく、適宜省略可能である。
【符号の説明】
【０１３９】
１  電気錠制御システム
２，２Ａ，２Ｂ  鍵装置
３  電気錠
４  建物
５  開閉部材
１０  電気錠システム
１１  錠側制御部
１３  錠側通信部
４０  開口部
Ａ１  通信範囲
Ａ２，Ａ２１，Ａ２２  認証エリア
【図１】
2019044462.tif 000003
【図２】
2019044462.tif 000004
【図３】
2019044462.tif 000005
【図４】
2019044462.tif 000006
【図５】
2019044462.tif 000007
【図６】
2019044462.tif 000008
【図７】
2019044462.tif 000009